(57)【特許請求の範囲】
【請求項１】
後端部に凹部を有する歯科インプラント用フィクスチャー用の歯科インプラント用キャップであって、
蓋部と、
前記蓋部の下面に接続し、且つ側面である外周面を含む柱状の形状を有した、前記凹部に嵌合可能な固定部と、を備え、
前記固定部は、その外周面に位置している凸部を有し、
前記固定部を、前記凹部に挿入して前記固定部の中心を軸として回転させたときに、前記凸部が前記凹部の内壁面に接触して前記固定部の移動を制限するように、前記凸部は側方に突出している、歯科インプラント用キャップ。
【請求項２】
前記固定部は、前記凸部を複数有し、
下面視において、前記複数の凸部は、略等間隔に位置している、請求項１に記載の歯科インプラント用キャップ。
【請求項３】
下面視において、前記凸部は、曲線状である、請求項１または２に記載の歯科インプラント用キャップ。
【請求項４】
下面視において、前記凸部は、前記外周面に接続している一端から他端に向かうにつれて、前記外周面からの距離が大きくなっている第１領域と、前記第１領域の前記他端に接続し、前記第１領域よりも前記外周面の周方向における長さが短い第２領域と、を有する、請求項１または２に記載の歯科インプラント用キャップ。
【請求項５】
前記固定部の外周面側から見たとき、前記凸部は、前記固定部の前記蓋部側の一端部から前記蓋部から離れている側の他端部にわたって位置している、請求項１〜４のいずれかに記載の歯科インプラント用キャップ。
【請求項６】
前記蓋部、前記固定部および前記凸部が一体に成形されている、請求項１〜５のいずれかに記載の歯科インプラント用キャップ。
【請求項７】
前記固定部の前記蓋部から離れている側の他端部に接続している柱状のガイド部をさらに備える、請求項１〜６のいずれかに記載の歯科インプラント用キャップ。
【請求項８】
前記蓋部の上面に開口しておりキャップ取付器具を取付可能な孔部をさらに備える、請求項１〜７のいずれかに記載の歯科インプラント用キャップ。
【請求項９】
歯科インプラント用カバーキャップである、請求項１〜８のいずれかに記載の歯科インプラント用キャップ。
【請求項１０】
超高分子量ポリエチレン樹脂、ポリメタクリル酸メチル樹脂、ポリエーテルエーテルケトン樹脂、純チタンおよびチタン合金から選ばれる１種からなる、請求項１〜９のいずれかに記載の歯科インプラント用キャップ。
【請求項１１】
請求項１〜１０のいずれかに記載の歯科インプラント用キャップと、
後端部に位置している凹部に前記固定部が嵌合される歯科インプラント用フィクスチャーと、を備える、歯科インプラントシステム。
【請求項１２】
前記凸部に外接するとともに中心が前記固定部の中心と同心である外接円の半径をＤ１、前記凹部の内壁面に内接する内接円の半径をＤ２としたとき、前記Ｄ１および前記Ｄ２が、Ｄ１＞Ｄ２の関係を有し、
前記凹部は、前記外接円よりも外方に位置している部位を有する、請求項１１に記載の歯科インプラントシステム。
【発明の詳細な説明】
【技術分野】
【０００１】
本発明は、歯科インプラント用キャップおよびそれを備える歯科インプラントシステムに関する。
【背景技術】
【０００２】
従来から、歯科インプラント用フィクスチャー（以下、「フィクスチャー」と言うことがある。）を上下顎骨の歯槽骨に埋入することによって、咬合機能、発声機能および審美性などを回復させる歯科インプラント埋植手術が行われている。
【０００３】
歯槽骨に埋入したフィクスチャーには、免荷期間中にフィクスチャーを封鎖して保護するために歯科インプラント用キャップ（以下、「キャップ」と言うことがある。）が取り付けられる（例えば、特許文献１〜３参照）。
【０００４】
しかし、特許文献１〜３に記載されているような従来のキャップは、フィクスチャーへの取り付けにネジ締結を利用するため、取り付けに時間がかかる。特に、複数のフィクスチャーを歯槽骨に埋入するときは、長時間の手術となり、術者および患者への負担が大きい。また、ネジ締結では、キャップとフィクスチャーを真っ直ぐにした状態で螺合させる必要があるが、口腔内は奥になるほどスペースがなく、キャップに対して斜め方向から力が加わりやすい。さらに、術者の手指も無理な状態になりやすく、その状態でキャップを何回転もさせるため、ドライバーなどのキャップ取付器具を持ち直すことも多い。それゆえ、従来のキャップは、フィクスチャーに取り付けるときにキャップ取付器具から外れやすく、口腔内に落下して誤飲されるおそれがあった。
【先行技術文献】
【特許文献】
【０００５】
【特許文献１】特開２０１４−１２１０５号公報
【特許文献２】特開２０００−８３９７０号公報
【特許文献３】実開平７−９３１３号公報
【発明の概要】
【発明が解決しようとする課題】
【０００６】
本発明の課題は、歯槽骨に埋入したフィクスチャーに簡単に取り付けることができる歯科インプラント用キャップおよびそれを備える歯科インプラントシステムを提供することである。
【課題を解決するための手段】
【０００７】
本発明者は、上記課題を解決すべく鋭意研究を重ねた結果、以下の構成からなる解決手段を見出し、本発明を完成するに至った。
（１）蓋部と、前記蓋部の下面に接続しており歯科インプラント用フィクスチャーの後端部に位置している凹部に嵌合可能な固定部と、を備え、前記固定部は、その外周面に位置している凸部を有する、歯科インプラント用キャップ。
（２）前記固定部は、前記凸部を複数有し、下面視において、前記複数の凸部は、略等間隔に位置している、前記（１）に記載の歯科インプラント用キャップ。
（３）下面視において、前記凸部は、曲線状である、前記（１）または（２）に記載の歯科インプラント用キャップ。
（４）下面視において、前記凸部は、前記外周面に接続している一端から他端に向かうにつれて、前記外周面からの距離が大きくなっている第１領域と、前記第１領域よりも長さが短い第２領域と、を有する、前記（１）または（２）に記載の歯科インプラント用キャップ。
（５）前記固定部の外周面側から見たとき、前記凸部は、前記固定部の前記蓋部側の一端部から前記蓋部から離れている側の他端部にわたって位置している、前記（１）〜（４）のいずれかに記載の歯科インプラント用キャップ。
（６）前記蓋部、前記固定部および前記凸部が一体に成形されている、前記（１）〜（５）のいずれかに記載の歯科インプラント用キャップ。
（７）前記固定部の前記蓋部から離れている側の他端部に接続している柱状のガイド部をさらに備える、前記（１）〜（６）のいずれかに記載の歯科インプラント用キャップ。
（８）前記蓋部の上面に開口しておりキャップ取付器具を取付可能な孔部をさらに備える、前記（１）〜（７）のいずれかに記載の歯科インプラント用キャップ。
（９）歯科インプラント用カバーキャップである、前記（１）〜（８）のいずれかに記載の歯科インプラント用キャップ。
（１０）超高分子量ポリエチレン樹脂、ポリメタクリル酸メチル樹脂、ポリエーテルエーテルケトン樹脂、純チタンおよびチタン合金から選ばれる１種からなる、前記（１）〜（９）のいずれかに記載の歯科インプラント用キャップ。
（１１）前記（１）〜（１０）のいずれかに記載の歯科インプラント用キャップと、後端部に位置している凹部に前記固定部が嵌合される歯科インプラント用フィクスチャーと、を備える、歯科インプラントシステム。
（１２）前記凸部に外接するとともに中心が前記固定部の中心と同心である外接円の半径をＤ１、前記凹部の内壁面に内接する内接円の半径をＤ２としたとき、前記Ｄ１および前記Ｄ２が、Ｄ１＞Ｄ２の関係を有し、前記内壁面は、前記外接円よりも外方に位置している部位を有する、前記（１１）に記載の歯科インプラントシステム。
【発明の効果】
【０００８】
本発明の歯科インプラント用キャップによれば、歯槽骨に埋入したフィクスチャーに簡単に取り付けることができるという効果がある。
【図面の簡単な説明】
【０００９】
【図１】本発明の第１実施形態に係る歯科インプラント用キャップを示す図であり、（ａ）および（ｂ）は互いに異なる角度から見た斜視図である。
【図２】図１に示す歯科インプラント用キャップを示す図であり、（ａ）は平面図、（ｂ）は（ａ）のａ１矢視図、（ｃ）は（ａ）のｂ１矢視図である。
【図３】本発明の第２実施形態に係る歯科インプラント用キャップを示す図であり、（ａ）は平面図、（ｂ）は（ａ）のａ２矢視図、（ｃ）は（ａ）のｂ２矢視図である。
【図４】本発明の第１実施形態に係る歯科インプラントシステムを示す説明図である。
【図５】図４に示す歯科インプラントシステムが備える歯科インプラント用フィクスチャーを示す図であり、（ａ）は一部断面平面図、（ｂ）は（ａ）のｃ矢視図である。
【図６】（ａ）および（ｂ）は、図４に示す歯科インプラントシステムにおいて歯科インプラント用キャップを歯科インプラント用フィクスチャーに取り付けるときの手順を示す概略説明図である。
【図７】（ａ）は、図６（ｂ）のｄ−ｄ線に沿って切断した状態を拡大して示す概略断面図、（ｂ）は、（ａ）の状態から歯科インプラント用キャップを回転させた状態を示す概略断面図である。
【図８】本発明の第２実施形態に係る歯科インプラントシステムを示す説明図である。
【図９】（ａ）および（ｂ）は、図４に示す歯科インプラントシステムの変形例を示す図であり、図７（ａ）に相当する図である。
【図１０】（ｃ）および（ｄ）は、図４に示す歯科インプラントシステムの変形例を示す図であり、図７（ａ）に相当する図である。
【発明を実施するための形態】
【００１０】
＜歯科インプラント用キャップ＞
（第１実施形態）
以下、本発明の第１実施形態に係る歯科インプラント用キャップについて、図１および図２を参照して詳細に説明する。
【００１１】
図１に示すように、本実施形態のキャップ１は、歯科インプラント用カバーキャップであり、蓋部２および固定部３を備えている。
【００１２】
蓋部２は、図１（ｂ）に示すように、下面２１を有している。本実施形態の下面２１は、後述する図５に示すフィクスチャー１０の後端部１０ａに位置している凹部１１を覆う部位である。本実施形態の下面２１は、図２（ａ）に示すように、平坦状である。
【００１３】
固定部３は、フィクスチャー１０の凹部１１内に固定される部位である。固定部３は、図１（ｂ）に示すように、下面２１に接続している。また、固定部３は、後述する図７に示すように、フィクスチャー１０の凹部１１に嵌合可能に構成されている。本実施形態の固定部３は、略円柱状である。
【００１４】
図１および図２（ａ）、（ｂ）に示すように、固定部３は、その外周面３１に位置している凸部４を有している。このような構成によれば、歯槽骨に埋入したフィクスチャー１０にキャップ１を簡単に取り付けることが可能となる。すなわち、図７に示すように、固定部３をフィクスチャー１０の凹部１１に嵌合させて若干回転させれば、凸部４と凹部１１の内壁面１３との摩擦によって固定部３が凹部１１内に固定されるので、歯槽骨に埋入したフィクスチャー１０へのキャップ１の取り付けをワンタッチで簡単に行うことができる。その結果、手術時間を短縮して術者および患者の負担を軽減することができ、キャップ１を取り付けるときの誤飲リスクを低減することができる。
【００１５】
凸部４の数は、少なくとも１つであればよい。凸部４の数は、例えば、１〜８個であるが、これに限定されるものではない。凸部４が複数であるとき、複数の凸部４のそれぞれの構成は、互いに同一であってもよいし、異なっていてもよい。同一であるとは、実質的に同一であればよく、若干の誤差があってもよいことを意味するものとする。本実施形態では、凸部４を複数有する。より具体的に説明すると、本実施形態では、図２（ｂ）に示すように、凸部４を３個有し、３個の凸部４のそれぞれの構成が、互いに同一である。
【００１６】
下面視において、複数の凸部４は、略等間隔に位置している。言い換えれば、凸部４が複数の場合、下面視において、複数の凸部４は、略等間隔に位置している。このような構成によれば、固定部３が凹部１１内にバランスよく固定されるようになり、結果としてフィクスチャー１０に対するキャップ１の取り付け強度を向上させることができる。下面視とは、図２（ｂ）に示すように、蓋部２の下面２１側からキャップ１を見た状態を意味するものとする。略等間隔とは、実質的に等間隔であればよく、若干の誤差があってもよいことを意味するものとする。なお、複数の凸部４は、非等間隔に位置していてもよい。
【００１７】
下面視において、凸部４は、曲線状である。このような構成によれば、図７に示すように、固定部３をフィクスチャー１０の凹部１１に嵌合させて若干回転させたとき、凹部１１の内壁面１３に凸部４を滑らかに接触させることができるので、凸部４および内壁面１３が損傷するのを抑制することができる。また、内壁面１３に対して凸部４をスムーズに摺動させることができるので、キャップ１の取り付け性を向上させることもできる。曲線状としては、例えば、放物線状、楕円弧状、円弧状などが挙げられる。本実施形態の凸部４は、下面視において円弧状である。
【００１８】
図２（ａ）に示すように、固定部３の外周面３１側からキャップ１を見たとき、凸部４は、固定部３の蓋部２側の一端部３ａから蓋部２から離れている側の他端部３ｂにわたって位置している。このような構成によれば、凸部４と凹部１１の内壁面１３との接触面積が大きくなることから、固定部３が凹部１１内に強固に固定されるようになり、結果としてフィクスチャー１０に対するキャップ１の取り付け強度を向上させることができる。なお、凸部４は、固定部３の一端部３ａから他端部３ｂにわたって位置している構成に限定されるものではなく、外周面３１の所望の場所に位置していてもよい。
【００１９】
蓋部２、固定部３および凸部４は、一体に成形されている。このような構成によれば、蓋部２、固定部３および凸部４のそれぞれの接続強度を向上させることができる。一体に成形されているとは、部品毎に加工した後に接着、溶接などの接合手段を使用して一体化されているのではなく、接合手段を使用することなく同一材料から成形体全体が一体的に作製されていることを意味するものとする。一体に成形する方法としては、例えば、切削加工などが挙げられるが、これに限定されるものではない。なお、蓋部２、固定部３および凸部４は、必要に応じて別部材で構成してもよい。
【００２０】
キャップ１は、固定部３の蓋部２から離れている側の他端部３ｂに接続している柱状のガイド部５をさらに備えている。このような構成によれば、ガイド部５を凹部１１内に挿入することによって、固定部３を凹部１１内にガイドすることができる。具体例を挙げると、例えば、口腔内で凹部１１を視認しにくいような場合であっても、まず、ガイド部５を凹部１１内に挿入することによって、固定部３を凹部１１内にスムーズにガイドすることができる。
【００２１】
本実施形態のガイド部５は、略円柱状である。また、図２（ａ）、（ｂ）に示すように、本実施形態のガイド部５は、その先端部５１が平坦状である。これらの構成によれば、ガイド部５の構成が簡単になることから、ガイド部５を加工するときの加工性に優れるという効果が得られる。なお、ガイド部５の形状は、略円柱状に限定されるものではなく、例えば、多角柱状などの他の形状であってもよい。同様に、先端部５１の形状も、平坦状に限定されるものではなく、所望の形状にすることができる。
【００２２】
ガイド部５は、凹部１１内に収容可能に構成されている。また、ガイド部５は、固定部３と一体に成形されている。言い換えれば、蓋部２、固定部３、凸部４およびガイド部５は、一体に成形されている。なお、ガイド部５は、必要に応じて別部材で構成してもよい。
【００２３】
図１（ａ）および図２（ｃ）に示すように、蓋部２は、上面２２をさらに有している。そして、キャップ１は、蓋部２の上面２２に開口している孔部６をさらに備えている。孔部６は、キャップ取付器具を取付可能に構成されている。キャップ取付器具としては、例えば、ドライバーなどが挙げられる。
【００２４】
孔部６の形状としては、例えば、六角などの多角形、ヘックスローブ、プラス、マイナスなどが挙げられる。例示した孔部６の形状は、上面視における形状である。上面視とは、図２（ｃ）に示すように、蓋部２の上面２２側からキャップ１を見た状態を意味するものとする。本実施形態の孔部６の形状は、上面視において六角状である。
【００２５】
キャップ１は、超高分子量ポリエチレン樹脂、ポリメタクリル酸メチル樹脂、ポリエーテルエーテルケトン樹脂、純チタンおよびチタン合金から選ばれる１種からなるのがよい。なお、超高分子量ポリエチレン樹脂は、重量平均分子量が１００万以上のポリエチレン樹脂である。超高分子量ポリエチレン樹脂は、例えば、低圧の懸濁重合法によってエチレンモノマーを反応させつつ、反応時間を長くすることによって製造することができる。超高分子量ポリエチレン樹脂の重量平均分子量は、１００万〜７００万であるのがよい。
【００２６】
（第２実施形態）
次に、本発明の第２実施形態に係るキャップについて、図３を参照して詳細に説明する。なお、図３においては、上述した図１および図２と同一の構成部分には同一の符号を付して説明は省略する場合がある。
【００２７】
図３に示すように、本実施形態のキャップ１’は、蓋部２’の構成が上述した第１実施形態に係るキャップ１と異なっている。具体的に説明すると、蓋部２’は、下面２１および上面２２の間に位置している側面２３をさらに有している。側面２３は、下面２１から上面２２に向かうにつれて外方に向かって傾斜している。側面２３は、後述する図８に示すフィクスチャー１０’のテーパ部１５にテーパ嵌合可能に構成されている。このような側面２３を蓋部２’が有する構成であっても、キャップ１’は、上述した第１実施形態に係るキャップ１と同様の効果を奏することができる。
【００２８】
図３（ｃ）に示すように、本実施形態の孔部６’の形状は、上面視においてヘックスローブである。
その他の構成は、上述した第１実施形態に係るキャップ１と同様であるので、説明を省略する。
【００２９】
＜歯科インプラントシステム＞
（第１実施形態）
次に、本発明の第１実施形態に係る歯科インプラントシステム（以下、「システム」と言うことがある。）について、上述した第１実施形態に係るキャップ１を備える場合を例にとって、図４〜図７を参照して詳細に説明する。
【００３０】
図４に示すように、本実施形態のシステム１００は、キャップ１およびフィクスチャー１０を備えている。
【００３１】
フィクスチャー１０は、図５に示すように、後端部１０ａに位置している凹部１１を有している。凹部１１は、上述したキャップ１の固定部３が嵌合される部位である。なお、凹部１１は、例えば、アバットメント、アバットメントスクリューなどをフィクスチャー１０に取り付けるときにも使用される部位である。本実施形態の凹部１１は、アバットメントスクリューが螺合するネジ孔１６を有している。
【００３２】
本実施形態の凹部１１は、その開口部１２側に位置している角筒状の内壁面１３（アバットメントとの嵌合部）をさらに有している。本実施形態の内壁面１３は、六角筒状である。そして、図７に示すように、内壁面１３によって囲まれている空間１４に、キャップ１の固定部３が嵌合される。
【００３３】
図７（ａ）に示すように、凸部４に外接する外接円１０１の半径をＤ１、凹部１１の内壁面１３に内接する内接円１０２の半径をＤ２としたとき、Ｄ１およびＤ２が、Ｄ１＞Ｄ２の関係を有している。また、内壁面１３は、外接円１０１よりも外方に位置している部位１３１を有している。これらの構成によれば、固定部３をフィクスチャー１０の凹部１１に嵌合させることができ、かつ固定部３を若干回転させれば、凸部４と凹部１１の内壁面１３との摩擦によって固定部３が凹部１１内に固定されるようになる。
【００３４】
外接円１０１は、凸部４を全て含む最小円であり、その中心Ｓ１が固定部３の中心Ｓ２と同心である円のことを意味するものとする。内接円１０２は、内壁面１３に含まれる最大円のことを意味するものとする。Ｄ１は、Ｄ２の１．０倍よりも大きく１．１５倍以下にすることができるが、これに限定されるものではない。本実施形態の部位１３１は、角筒状の内壁面１３におけるコーナ部１３２を含んでいる。
【００３５】
フィクスチャー１０へのキャップ１の取り付けは、次のようにして行うことができる。まず、図６（ａ）に示すように、キャップ１を矢印Ａ方向に動かし、キャップ１をフィクスチャー１０に近づける。次に、図６（ｂ）および図７（ａ）に示すように、キャップ１の固定部３をフィクスチャー１０の凹部１１に嵌合させる。
【００３６】
そして、図７（ｂ）に示すように、固定部３を矢印Ｂ方向に若干回転させて、凸部４と凹部１１の内壁面１３との摩擦によって固定部３を凹部１１内に固定し、キャップ１をフィクスチャー１０に取り付ける。なお、固定部３を回転させる方向は、矢印Ｂ方向と逆方向であってもよい。
【００３７】
本実施形態では、固定部３を回転させるときの回転角度θが３０°以下である。このような構成によれば、固定部３を凹部１１内に固定するまでの角度が小さいことから、歯槽骨に埋入したフィクスチャー１０へのキャップ１の取り付けを簡単に行うことができる。なお、本実施形態では、六角筒状の内壁面１３に対して凸部４の数が３個であるが、凸部４の数を３個に代えて６個にしても、回転角度θを３０°以下にすることができる。回転角度θは、３０°以下に限定されるものではなく、例えば、１２０°以下にすることができる。回転角度θの下限値は、特に限定されない。
【００３８】
回転角度θは、次のようにして判断することができる。まず、図７（ａ）に示すように、固定部３を回転させる前の状態において、凸部４の頂部４１と固定部３の中心Ｓ２とを結ぶ直線をＬ１とする。次に、図７（ｂ）に示すように、固定部３を回転させた後の状態において、凸部４と凹部１１の内壁面１３との接触部１０３と、固定部３の中心Ｓ２とを結ぶ直線をＬ２とする。そして、Ｌ１およびＬ２のなす角の角度を、回転角度θとして判断する。
【００３９】
キャップ１をフィクスチャー１０から取り外すときは、固定部３を矢印Ｂ方向と逆方向に回転させて、凹部１１内における固定部３の固定を解除した後、キャップ１をフィクスチャー１０から取り外せばよい。
【００４０】
（第２実施形態）
次に、本発明の第２実施形態に係るシステムについて、上述した第２実施形態に係るキャップ１’を備える場合を例にとって、図８を参照して詳細に説明する。なお、図８においては、上述した図４〜図７と同一の構成部分には同一の符号を付して説明は省略する場合がある。
【００４１】
図８に示すように、本実施形態のシステム１００’は、フィクスチャー１０’の凹部１１’の構成が上述した第１実施形態に係るシステム１００と異なっている。具体的に説明すると、凹部１１’は、開口部１２と内壁面１３との間に位置しているテーパ部１５をさらに有している。テーパ部１５は、内壁面１３から開口部１２に向かうにつれて外方に向かって傾斜している部位である。また、テーパ部１５は、上述したキャップ１’における蓋部２’の側面２３がテーパ嵌合される部位である。なお、テーパ部１５は、例えば、アバットメントなどの一部がテーパ嵌合される部位でもある。
【００４２】
本実施形態の内壁面１３は、上述した第１実施形態に係るシステム１００と同様に、六角筒状である。
その他の構成は、上述した第１実施形態に係るシステム１００と同様であるので、説明を省略する。
【００４３】
以上、本発明に係る好ましい実施形態について例示したが、本発明は上述した実施形態に限定されるものではなく、本発明の要旨を逸脱しない限り任意のものとすることができることは言うまでもない。
【００４４】
例えば、上述した実施形態では、キャップ１、１’が歯科インプラント用カバーキャップであるが、これに代えて、キャップ１、１’を歯科インプラント用ヒーリングキャップにしてもよい。
【００４５】
また、上述した実施形態では、凸部４および内壁面１３の組み合わせとして、凸部４が下面視において円弧状であってその数が３個であり、内壁面１３が六角筒状である場合について説明したが、凸部４および内壁面１３を他の組み合わせにしてもよい。他の組み合わせとしては、例えば、図９および図１０に示すような組み合わせなどが挙げられる。
【００４６】
図９（ａ）に示すシステム１００Ａでは、凸部４Ａが円弧状であってその数が４個であり、内壁面１３Ａが四角筒状である。この組み合わせでは、固定部３を回転させるときの回転角度θを４５°以下にすることができる。なお、凸部４Ａの数を４個に代えて２個にしても、回転角度θを４５°以下にすることができる。図９（ａ）では、凸部４Ａが断面視において円弧状であるが、凸部４Ａは下面視においても円弧状である。
【００４７】
図９（ｂ）に示すシステム１００Ｂでは、凸部４Ｂが円弧状であってその数が４個であり、内壁面１３Ｂが八角筒状である。この組み合わせでは、固定部３を回転させるときの回転角度θを２２．５°以下にすることができる。なお、凸部４Ｂの数を４個に代えて２個または８個にしても、回転角度θを２２．５°以下にすることができる。図９（ｂ）では、凸部４Ｂが断面視において円弧状であるが、凸部４Ｂは下面視においても円弧状である。
【００４８】
図１０（ｃ）に示すシステム１００Ｃでは、凸部４Ｃが円弧状であってその数が３個である。また、内壁面１３Ｃが、外方に凸の曲面状である第１壁面１３３と、内方に凸の曲面状である第２壁面１３４とを交互に接続してなる筒状であり、いわゆるヘックスローブである。この組み合わせでは、固定部３を回転させるときの回転角度θを３０°以下にすることができる。なお、凸部４Ｃの数を３個に代えて６個にしても、回転角度θを３０°以下にすることができる。図１０（ｃ）では、凸部４Ｃが断面視において円弧状であるが、凸部４Ｃは下面視においても円弧状である。
【００４９】
図１０（ｄ）に示すシステム１００Ｄでは、凸部４Ｄの数が３個であり、内壁面１３Ｄが六角筒状である。そして、凸部４Ｄが、次のような構成を有している。すなわち、断面視において、凸部４Ｄは、外周面３１に接続している一端４ａから他端４ｂに向かうにつれて、外周面３１からの距離が大きくなっている第１領域４２と、第１領域４２よりも長さが短い第２領域４３とを有している。このような構成によれば、固定部３をフィクスチャー１０の凹部１１に嵌合させて若干回転させたとき、内壁面１３Ｄに対して凸部４Ｄをスムーズに摺動させることができるので、キャップ１の取り付け性を向上させることができる。
【００５０】
システム１００Ｄでは、断面視において、第１領域４２は曲線状の部位４２１を有しており、第２領域４３は直線状の部位４３１を有している。また、第１領域４２および第２領域４３は、互いに連続している。なお、第１領域４２および第２領域４３の間には、例えば、断面視において直線状などの他の領域が位置していてもよい。図１０（ｄ）では、凸部４Ｄが断面視において上述した構成を有しているが、凸部４Ｄは下面視においても断面視と同じ構成を有している。
【００５１】
上述した実施形態では、キャップ１、１’がガイド部５を備えているが、これに代えて、キャップ１、１’がガイド部５を備えていない構成にしてもよい。
【符号の説明】
【００５２】
１、１’  歯科インプラント用キャップ
２、２’  蓋部
２１  下面
２２  上面
２３  側面
３  固定部
３ａ  一端部
３ｂ  他端部
３１  外周面
４、４Ａ〜４Ｄ  凸部
４ａ  一端
４ｂ  他端
４１  頂部
４２  第１領域
４２１  部位
４３  第２領域
４３１  部位
５  ガイド部
５１  先端部
６、６’  孔部
１０、１０’  歯科インプラント用フィクスチャー
１０ａ  後端部
１１、１１’  凹部
１２  開口部
１３、１３Ａ〜１３Ｄ  内壁面
１３１  部位
１３２  コーナ部
１３３  第１壁面
１３４  第２壁面
１４  空間
１５  テーパ部
１６  ネジ孔
１００、１００’、１００Ａ〜１００Ｄ  歯科インプラントシステム
１０１  外接円
１０２  内接円
１０３  接触部
【図１】
0006725319.tif 000002
【図２】
0006725319.tif 000003
【図３】
0006725319.tif 000004
【図４】
0006725319.tif 000005
【図５】
0006725319.tif 000006
【図６】
0006725319.tif 000007
【図７】
0006725319.tif 000008
【図８】
0006725319.tif 000009
【図９】
0006725319.tif 000010
【図１０】
0006725319.tif 000011